(57)【要約】  本発明は、ディジタル伝送路のデータレートを変更することなく、ディスプレイ伝送路で送る信号自体は規格内（６０Ｈｚ）のまま、高速画面切替方式の画像表示を行えるディスプレイコントローラ及び表示装置を提供することを目的とする。  そのために、少なくとも二つの画像信号を順次出力して、該画像信号に応じた画像を液晶表示装置（１０５）に表示させるディスプレイコントローラ（１０２）であって、出力する画像信号のうち、第１の出力画像の画像信号と第２の出力画像の画像信号とは、それぞれの画像輝度値を画素ごとに加算したときに、第１の出力画像とは相関の無い画像となる関係にあり、画像信号を出力する際のフレーム周波数は、入力画像の画像信号のフレーム周波数の２以上の整数倍である。
2008099737.tif 000002
【特許請求の範囲】
【請求項１】
少なくとも二つの画像信号を順次出力して、該画像信号に応じた画像をディスプレイに表示させるディスプレイコントローラであって、
出力する前記画像信号のうち、第１の出力画像の画像信号と第２の出力画像の画像信号とは、それぞれの画像輝度値を画素ごとに加算したときに、前記第１の出力画像とは相関の無い画像となる関係にあり、
前記画像信号を出力する際のフレーム周波数は、入力画像の画像信号のフレーム周波数の２以上の整数倍であることを特徴とするディスプレイコントローラ。
【請求項２】
少なくとも二つの画像信号を順次出力して、該画像信号に応じた画像をディスプレイに表示させるディスプレイコントローラであって、
第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、
前記画像信号を出力する際のフレーム周波数は、入力画像の画像信号のフレーム周波数の２以上の整数倍であることを特徴とするディスプレイコントローラ。
【請求項３】
少なくとも前記第１出力画像の画像信号を出力している期間には、前記ディスプレイとユーザの目との間に配置されるシャッタを光透過状態とするように制御する光シャッタ制御手段を有することを特徴とする請求項１又は２記載のディスプレイコントローラ。
【請求項４】
外部からディジタル伝送路を介して送られてきた信号から前記入力画像の画像信号と同期信号とを生成するレシーバを有し、
前記レシーバの出力する前記入力画像の画像信号を外部のメモリへ送出し、
前記同期信号に基づいて前記メモリから前記入力画像の画像信号を読み出して前記出力する画像信号を生成することを特徴とする請求項１から３のいずれか１項記載のディスプレイコントローラ。
【請求項５】
前記ディジタル伝送路を介して送られてきた信号の少なくとも一部は前記第１の出力画像そのものの画像信号であることを特徴とする請求項４記載のディスプレイコントローラ。
【請求項６】
少なくとも二つの画像信号を順次表示手段へ出力して、該画像信号に応じた画像を前記表示手段に表示させる表示装置であって、
出力する前記画像信号のうち、第１の出力画像の画像信号と第２の出力画像の画像信号とは、それぞれの画像輝度値を画素ごとに加算したときに、前記第１の出力画像とは相関の無い画像となる関係にあり、
前記画像信号を出力する際のフレーム周波数は、入力画像の画像信号のフレーム周波数の２以上の整数倍であることを特徴とする表示装置。
【請求項７】
少なくとも二つの画像信号を順次表示手段へ出力して、該画像信号に応じた画像を前記表示手段に表示させる表示装置であって、
第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、
前記画像信号を出力する際のフレーム周波数は、入力画像の画像信号のフレーム周波数の２以上の整数倍であることを特徴とする表示装置。
【請求項８】
少なくとも前記第１出力画像の画像信号を出力している期間には、前記表示手段とユーザの目との間に配置されるシャッタを光透過状態とするように制御する光シャッタ制御手段を有することを特徴とする請求項６又は７記載の表示装置。
【請求項９】
外部からディジタル伝送路を介して送られてきた信号から前記入力画像の画像信号と同期信号とを生成するレシーバを有し、
前記レシーバの出力する前記入力画像の画像信号を外部のメモリへ送出し、
前記同期信号に基づいて前記メモリから前記入力画像の画像信号を読み出して前記出力する画像信号を生成することを特徴とする請求項６から８のいずれか１項記載の表示装置。
【請求項１０】
前記ディジタル伝送路を介して送られてきた信号の少なくとも一部は前記第１の出力画像そのものの画像信号であることを特徴とする請求項９記載の表示装置。
【発明の詳細な説明】
【技術分野】
【０００１】
本発明は、ディスプレイコントローラ及び表示装置に関し、特に、特定の使用者・認証された人にその内容を提示するための装置に関する。
【背景技術】
【０００２】
液晶ディスプレイやプラズマディスプレイをはじめとするフラットパネルディスプレイは、携帯電話端末といったモバイル機器から、街頭に設置される公衆ディスプレイといった大型装置にまで幅広く適用されている。こういったディスプレイの多くは、広視野角、高輝度、高画質といった点に開発の重点が置かれており、どのような角度からでも、綺麗に見やすく表示することが求められてきた。【０００３】
一方、ディスプレイで表示するコンテンツの中には、秘密情報やプライベートデータなど他人には見られたくない内容のものもある。よって、情報機器の発達に伴うユビキタス化が進展する現在、不特定の人たちがいる公衆下であっても、他の人に表示コンテンツを見られないようにすることも重要な課題となっている。
加えて、オフィス内のような特定の人しかいない場所であっても、座席の後ろを通る人に見られたくない秘密情報を扱う場合もある。【０００４】
携帯電話端末などの中には、光学的な遮蔽板（ルーバー）を設けて、特定の方向からのみ表示内容を視認できるようなディスプレイが搭載されているものもある。しかし、それでもユーザの真後ろからは表示内容を盗み見ることができてしまうため、機密保持の点からは十分であるとは言えない。【０００５】
これらの問題を解決することに関連する技術としては、特許文献１に開示される「画像表示装置」がある。この画像表示装置は、画像選択機能を有する眼鏡をユーザに着用させることによって、眼鏡をかけた者（ユーザ）にのみ特定の画像（以下、秘密画像という）を視認可能とし、それ以外の者には別の画像（以下、公衆画像という）を提示する装置である。【０００６】
具体的には、図１に示す画像表示装置は、１フレーム分の入力画像信号１１をフレーム信号１３に基づいて画像情報蓄積メモリ１２に蓄積する。その後、フレーム周期の２倍の速度でメモリ１２から画像情報を読み出し（すなわち、１フレーム期間中に２回読み出し）、最初に読み出した信号は２分の１に圧縮して第一画像信号１４として合成回路１５に入力し、次に読み出した画像信号は彩度及び輝度を変換した後、第二画像信号１７として合成回路１５に入力する。従って、画像表示器１８には、第一画像信号１４と第二画像信号１７とが交互に表示される。【０００７】
一方、フレーム信号１３は、眼鏡シャッタタイミング発生回路１９にも入力される。眼鏡シャッタタイミング発生回路１９は、眼鏡２１のシャッタを駆動し、第二画像信号１７による画像がユーザから見えないように眼鏡シャッタを制御する。【０００８】
このような構成、動作によって、眼鏡２１をかけていない者には、第一画像信号１４と第二画像信号１７との合成画像であり第一画像信号１４とは関係のない灰色画像又は第三の画像（公衆画像）が見えることとなり、眼鏡２１をかけた者には第一画像信号１４による所望の画像（秘密画像）が見えることとなる。【０００９】
また、上記の問題を解決する別の関連技術としては、特許文献２に開示される「公衆が見ることのできるディスプレイでプライベートに見ることができるデータを提供する方法」がある。特許文献２に開示される方法は、許可されたユーザのみがディスプレイ上のプライベート画像（秘密画像）を解読できるようにすると同時に、許可されていないユーザには、単にランダムなパターンや判読しにくいパターン、又はスクリーン・セイバー画像といった画像を公衆画像として見せるようにするものである。【００１０】
この目的を助長するために、特許文献２に開示される発明では、データ隠蔽パターン及び交番パターンを含む画像処理技法を、画像処理技術によって作られた画像を組み込んだディスプレイと同期する（例えば、アクティブ・グラスなどのウェアラブル・デバイスと組み合わせる。）。最後に、人間の視覚系の「似ていない画像を単一の画像に融合させる既知の能力」によって、公衆が見ることのできるディスプレイでプライベートに見ることのできるデータを提供する能力が完成する。【００１１】
このように、上記特許文献１や特許文献２に開示される発明においては、高速に画像を切り替えるため、フリッカを感じさせないようにフレーム周波数を、（切り替える画像数）×５０Ｈｚ以上とする必要がある。
【特許文献１】特開昭６３−３１２７８８号公報
【特許文献２】特開２００１−２５５８４４号公報
【発明の開示】
【発明が解決しようとする課題】
【００１２】
しかし、特許文献１に開示される発明においては、高フレームレートで秘密画像、反転画像、公衆画像を順次送出するため、合成回路と画像表示器との間のデータレートが高くなり、現在主流のディジタル伝送（ＬＶＤＳやＤＶＩ、ＨＤＭＩ）では転送できないという問題がある。また、特許文献２に開示される発明においても、全ての画像の生成をＣＰＵ内のソフトで行っているため、同様の問題が生じる。【００１３】
このような画像信号の生成部（コンピュータ）と表示部（ディスプレイ）との間の伝送路は、一般にＤＶＩやＨＤＭＩのように規格化されているものが主流であり、この規格を超える伝送容量を伝送するためには、この規格外の動作を行うか、並列化を行うこととなる。しかし、規格外の動作を行ったり、並列化したりして画像信号をコンピュータからディスプレイへ伝送することは、現実的な方法ではない。【００１４】
本発明はかかる問題に鑑みてなされたものであり、ディジタル伝送路のデータレートを変更することなく、ディスプレイ伝送路で送る信号自体は規格内（６０Ｈｚ）のまま、高速画面切替方式の画像表示を行えるディスプレイコントローラ及び表示装置を提供することを目的とする。
【課題を解決するための手段】
【００１５】
上記目的を達成するため、本発明は、第１の態様として、少なくとも二つの画像信号を順次出力して、該画像信号に応じた画像をディスプレイに表示させるディスプレイコントローラであって、出力する画像信号のうち、第１の出力画像の画像信号と第２の出力画像の画像信号とは、それぞれの画像輝度値を画素ごとに加算したときに、第１の出力画像とは相関の無い画像となる関係にあり、画像信号を出力する際のフレーム周波数は、入力画像の画像信号のフレーム周波数の２以上の整数倍であることを特徴とするディスプレイコントローラを提供するものである。【００１６】
また、上記目的を達成するため、本発明は、第２の態様として、少なくとも二つの画像信号を順次出力して、該画像信号に応じた画像をディスプレイに表示させるディスプレイコントローラであって、第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、画像信号を出力する際のフレーム周波数は、入力画像の画像信号のフレーム周波数の２以上の整数倍であることを特徴とするディスプレイコントローラを提供するものである。【００１７】
本発明の第１又は第２の態様においては、少なくとも第１出力画像の画像信号を出力している期間には、ディスプレイとユーザの目との間に配置されるシャッタを光透過状態とするように制御する光シャッタ制御手段を有することが好ましい。【００１８】
本発明の第１又は第２の態様のいずれの構成においても、外部からディジタル伝送路を介して送られてきた信号から入力画像の画像信号と同期信号とを生成するレシーバを有し、レシーバの出力する入力画像の画像信号を外部のメモリへ送出し、同期信号に基づいてメモリから入力画像の画像信号を読み出して出力する画像信号を生成することが好ましく、これに加えて、ディジタル伝送路を介して送られてきた信号の少なくとも一部は第１の出力画像そのものの画像信号であることがより好ましい。【００１９】
また、上記目的を達成するため、本発明は、第３の態様として、少なくとも二つの画像信号を順次表示手段へ出力して、該画像信号に応じた画像を表示手段に表示させる表示装置であって、出力する画像信号のうち、第１の出力画像の画像信号と第２の出力画像の画像信号とは、それぞれの画像輝度値を画素ごとに加算したときに、第１の出力画像とは相関の無い画像となる関係にあり、画像信号を出力する際のフレーム周波数は、入力画像の画像信号のフレーム周波数の２以上の整数倍であることを特徴とする表示装置を提供するものである。【００２０】
また、上記目的を達成するため、本発明は、第４の態様として、少なくとも二つの画像信号を順次表示手段へ出力して、該画像信号に応じた画像を表示手段に表示させる表示装置であって、第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、画像信号を出力する際のフレーム周波数は、入力画像の画像信号のフレーム周波数の２以上の整数倍であることを特徴とする表示装置を提供するものである。【００２１】
本発明の第３又は第４の態様においては、少なくとも第１出力画像の画像信号を出力している期間には、表示手段とユーザの目との間に配置されるシャッタを光透過状態とするように制御する光シャッタ制御手段を有することが好ましい。【００２２】
本発明の第３又は第４の態様のいずれの構成においても、外部からディジタル伝送路を介して送られてきた信号から入力画像の画像信号と同期信号とを生成するレシーバを有し、レシーバの出力する入力画像の画像信号を外部のメモリへ送出し、同期信号に基づいてメモリから入力画像の画像信号を読み出して出力する画像信号を生成することが好ましく、これに加えて、ディジタル伝送路を介して送られてきた信号の少なくとも一部は第１の出力画像そのものの画像信号であることがより好ましい。
【発明の効果】
【００２３】
本発明によれば、ディジタル伝送路のデータレートを変更することなく、ディスプレイ伝送路で送る信号自体は規格内（６０Ｈｚ）のまま、高速画面切替方式の画像表示を行えるディスプレイコントローラ及び表示装置を提供できる。
【発明を実施するための最良の形態】
【００２４】
〔第１の実施形態〕
本発明を好適に実施した第１の実施形態について説明する。図２に、本実施形態に係る液晶表示装置の構成を示す。この液晶表示装置は、レシーバ１２１、メモリ１０１、反転画像生成回路１０４、ディスプレイコントローラ１０２、シャッタ眼鏡制御信号生成回路１０３及び液晶表示部１０５を有する。
レシーバ１２１は、画像伝送規格（ＬＶＤＳやＤＶＩ、ＨＤＭＩなど）に沿って規格された伝送路１１０を通って映像源から送出された信号を、画像信号と同期信号とに分離する。メモリ１０１は、レシーバ１２１から出力され、順次入力される画像信号を秘密画像として蓄積し、かつ順次入力とは別にプリセットされている公衆画像を蓄積する。反転画像生成回路１０４は、メモリ１０１から入力された秘密画像を基に反転画像を生成して出力する。ディスプレイコントローラ１０２は、同期信号に基づいてメモリ１０１から順次出力される秘密画像及び公衆画像と、反転画像生成回路１０４から出力される反転画像とを液晶表示部１０５で表示できるようにデータを割り当て、液晶表示部１０５を駆動するための制御信号及び画像信号を生成する。シャッタ眼鏡制御信号生成回路１０３は、入力される同期信号をもとに、シャッタ眼鏡の光透過状態及び遮光状態を制御する。【００２５】
ここで、メモリ１０１と反転画像生成回路１０４からの出力信号を符号１１１、ディスプレイコントローラ１０２からの出力信号を符号１１２、シャッタ眼鏡制御信号生成回路１０３からの出力信号を符号１１３でそれぞれ表す。【００２６】
ディスプレイコントローラ１０２では、期間ごとに秘密画像、反転画像及び公衆画像のいずれかのデータを割り当てて順次出力する画像信号と、液晶表示部１０５を駆動するための制御信号とを液晶表示部１０５へ出力する。【００２７】
図３に、液晶表示部１０５の構成を示す。液晶表示部１０５は、互いに交差する複数の走査線３１及び複数の信号線３２、複数の走査線３１に入力する信号を制御する走査線ドライバ３３、複数の信号線３２に入力する信号を制御する信号線ドライバ３４、各交差部にマトリクス状に薄膜トランジスタ（ＴＦＴ）を介して設けられた複数の画素３５、及び並列接続された補助容量３６を少なくとも備える。画素３５のうち、画像を実際に表示する領域をまとめて有効表示領域３８とする。【００２８】
図４に、出力信号１１１、１１２及び１１３の１フレーム期間のタイミングチャートの例を示す。このタイミングチャートを基に、ディスプレイコントローラ１０２の処理について説明する。ここでは、１フレームを六つのサブフレームに分割し、秘密画像を２サブフレーム、反転画像を２サブフレーム、公衆画像を２サブフレーム表示する構成について説明しているが、サブフレーム数や各画像への割り当ては、秘密画像表示と反転画像表示の輝度合成演算を行ったときに秘密画像と相関の無い画像となるのであれば、任意に設定できる。【００２９】
ディスプレイコントローラ１０２には、秘密画像、反転画像及び公衆画像が入力され、期間Ｔｏｎ１、Ｔｏｎ２に秘密画像のデータ割り当てを行い、期間Ｔｏｆｆ１、Ｔｏｆｆ２に反転画像及び公衆画像のデータ割り当てを行う。なお、秘密画像Ｓと反転画像Ｒとは、各画素ごとにＳ＋Ｒの演算を行って画像を合成したときに、秘密画像とは相関のない画像となるものとする。【００３０】
期間Ｔｏｎ１では、まず、データ書き込み期間Ｗで画面の各画素に秘密画像であるＳ画像の階調値を液晶表示部１０５へ出力する。その後、次の書き込み期間Ｗまで光透過状態又は遮光状態を維持する。【００３１】
次に、期間Ｔｏｆｆ１でも秘密画像と同様の過程（書き込み過程及び光透過状態維持過程）により、反転画像Ｒ及び公衆画像Ｐのデータ割り当てを行い、それぞれの画像の階調を再現する。【００３２】
シャッタ眼鏡へ送られる出力信号１１３は、期間Ｔｏｎの間はシャッタ眼鏡を光透過状態とし、期間Ｔｏｆｆの間は遮光状態とする信号である。出力信号１１３は、映像の同期信号を基にシャッタ眼鏡制御信号生成回路１０３で生成される。【００３３】
なお、ディスプレイコントローラ１０２は、１フレーム期間に秘密画像Ｓ、反転画像Ｒ及び公衆画像Ｐを生成しているが、これらを生成する順番は原則として基本的に任意である。例えば、図５のように、図４のタイミングチャートから反転画像Ｒの出力期間と公衆画像Ｐの出力期間とを交換しても、シャッタ眼鏡をかけている人、かけていない人とも知覚する画像に差は無い。同様に、秘密画像Ｓの表示期間の間、シャッタ眼鏡が光透過状態となるようにシャッタ眼鏡制御信号生成回路１０３の出力信号１１３が生成されれば、秘密画像、反転画像及び公衆画像の順番は任意でよい。【００３４】
ここで重要となるのは、反転画像生成回路１０４での反転画像Ｒの生成方法である。反転画像Ｒは、各画素に対してＳ＋Ｒの輝度演算を行って画像を合成したときに、秘密画像とは相関のない画像となるように生成する。網膜上では階調ではなく輝度を積分して知覚するからである。この時、入力信号は階調値であるから、反転画像を生成する際には輝度値に変換し、さらに輝度演算後の出力信号は階調値に戻さなければならない。そのために、液晶表示部１０５のγ特性（階調−輝度特性）を予め知る必要がある。そして、液晶表示部１０５のγ特性は、それぞれ異なり、温度といった周囲環境によっても異なるため、適応的に反転画像の生成を行うには、反転画像生成回路１０４は表示装置内部に設けることが好ましい。【００３５】
そして、公衆画像はメモリ１０１にプリセットすることで、映像源から常時伝送する必要が無くなり、映像源からは６０Ｈｚの秘密画像が順次伝送するのみとなる。このように反転画像生成回路１０４及び公衆画像を蓄積するメモリ１０１、並びに伝送路で規定されたフレーム周波数よりも高い周波数で画像切替表示を行うためのディスプレイコントローラ１０２を設けることで、伝送路の仕様を一切変更することなく、且つ、映像源も通常の画像と同じフォーマットで映像信号を送出するだけで、裸眼の人からは閲覧困難に秘密画像を表示できる液晶表示装置を実現できる。【００３６】
なお、本実施形態においては、ディスプレイコントローラ１０２と反転画像生成回路１０４とを別ブロックとして構成したが、反転画像生成回路１０４の機能をディスプレイコントローラ１０２に含めても構わない。さらに、シャッタ眼鏡制御信号生成回路１０３や、レシーバ１２１の機能をディスプレイコントローラ１０２に含めてももちろん構わない。レシーバ１２１の機能をディスプレイコントローラ１０２に含める場合には、図６に示すように、メモリ１０１’はディスプレイコントローラ１０２’とデータのやりとりを行う接続となる。【００３７】
〔第２の実施形態〕
本発明を好適に実施した第２の実施形態について説明する。本実施形態に係る液晶表示装置は、第１の実施形態に係る液晶表示装置とほぼ同様の構成であるが、秘密画像と公衆画像とが任意の割合で伝送路を介して映像源から液晶表示装置へ送られてくる点で第１の実施形態とは相違する。【００３８】
図７に、本実施形態に係る液晶表示装置の構成を示す。レシーバ１２１から出力された画像のメモリ１０１Ａへの書き込み位置が秘密画像と公衆画像とで異なる。また、第１の実施形態とは異なり、公衆画像はメモリ１０１Ａにプリセットされておらず、レシーバ１２１から出力された画像のうち、公衆画像としてメモリ１０１Ａに書き込まれることで適宜更新される。【００３９】
ここで、秘密画像と公衆画像との送信割合であるが、６０フレームごとといった一定期間ごとに公衆画像を送信しても良いし、公衆画像の重要度に応じて適宜変更しても良い。秘密画像の表示のみが重要視されるのであれば、秘密画像表示の開始時にのみ公衆画像を送信することで、６０フレームの秘密画像の動画表示を実現できる。一方、秘密画像と公衆画像とが同じくらい重要視されるのであれば、秘密画像と公衆画像とを交互に（すなわち、毎秒３０フレームずつ）送信すればよい。表示装置においては各々の画像を６０フレーム／秒で表示する必要があるため、この場合には、メモリ１０１Ａから同じ秘密画像及び公衆画像を２回続けて出力することによって６０フレーム／秒に変換することとなるが、主な表示画像が静止画であれば、同じ画像を２回出力することによってフレームレートを上げても画質の劣化などは生じない。【００４０】
以上のように、規格化された伝送路で送信する画像の一部を公衆画像にすることで、第１の実施形態と同様の効果に加え、公衆画像も適宜変更可能な液晶表示装置を実現できる。【００４１】
〔第３の実施形態〕
本発明を好適に実施した第３の実施形態について説明する。図８に、本実施形態に係る液晶表示装置の構成を示す。この液晶表示装置は、第１の実施形態に係る液晶表示装置とほぼ同様であるが、反転画像生成回路を備えておらず、映像源から任意の割合で秘密画像、反転画像及び公衆画像を伝送路を介して送られてくる点で第１の実施形態に係る液晶表示装置と相違する。
レシーバ１２１から出力された画像は、メモリ１０１Ｂで秘密画像、反転画像及び公衆画像としてそれぞれ蓄積される。第１の実施形態とは異なり、公衆画像はメモリ１０１Ｂにプリセットされておらず、レシーバ１２１から出力された画像のうち、公衆画像としてメモリ１０１Ｂに書き込まれることで適宜更新される。【００４２】
ここで、秘密画像、反転画像及び公衆画像の送信割合であるが、秘密画像と反転画像との割合は同じであることが好ましい。秘密画像を常に打ち消すためには、その対となる反転画像は秘密画像ごとに必要となるためである。秘密画像と公衆画像との割合は第２の実施形態と同様である。【００４３】
この他の動作については第１の実施形態と同様であるため、重複する説明は省略する。【００４４】
このように、反転画像生成回路を設けずとも伝送路で規定されたフレーム周波数よりも高い周波数で画像切替表示を行うためのディスプレイコントローラを設けることで、動画の滑らかさという点では第１の実施形態や第２の実施形態に係る液晶表示装置に劣るものの、伝送路の仕様を一切変更すること無く、裸眼の人からは閲覧困難に秘密画像を表示できる液晶表示装置を実現できる。【００４５】
図９は、第１〜第３の実施形態において、ディジタル伝送路を介して規格内のフレーム周波数で送出された映像信号を液晶表示部１０５で表示するときの伝送路のフレーム周波数を示す図である。図中左の（１）は、第３の実施形態、（２）は第１の実施形態、（３）は第２の実施形態に対応している。【００４６】
例えば、（１）秘密画像、反転画像、公衆画像を１秒間に２０回、計６０Ｈｚで伝送し、フレーム周波数変換回路で３倍の１８０Ｈｚとして同じ画像を３度液晶表示部１０５で表示することで、ディジタル伝送路の規格内で画像を送出しながら、高速画像切替方式で画像を表示する液晶表示装置を実現できる。また、別の方法として、（２）秘密画像のみを６０Ｈｚで伝送し、フレーム周波数変換回路内に反転画像生成回路をさらに持たせることで、秘密画像、反転画像の高速切替を実現する。（３）秘密画像と公衆画像とを１秒間に３０回、計６０Ｈｚで伝送し、（２）と同様の反転画像生成回路を使用することで、秘密画像、反転画像、公衆画像の高速切替を実現するといった構成が考えられる。【００４７】
一方、関連技術では、伝送路で規定されたフレーム周波数よりも高い１８０Ｈｚという周波数で映像信号を伝送することとなるため、並列化などの構成変更が不可欠である。【００４８】
〔第４の実施形態〕
本発明を好適に実施した第４の実施形態について説明する。図１０に、本実施形態に係る表示装置の構成を示す。この表示装置は第１の実施形態に係る液晶表示装置とほぼ同様であるが、第１の実施形態における液晶表示部１０５の代わりに表示部１０６を備えており、その駆動方式としてパルス幅変調（ＰＷＭ）駆動を用いている点で相違する。表示部１０６はＰＷＭ駆動方式であれば特に制限はなく、プラズマディスプレイ、ＭＥＭＳスイッチを用いたディスプレイ、有機電界発光ディスプレイなどが挙げられる。ここではＰＷＭ駆動を行うため、ディスプレイコントローラが第１の実施形態とは異なる動作をする。また、ディスプレイコントローラ１０２Ａの出力信号を符号１１２Ａで表す。この他については第１の実施形態と同様である。【００４９】
図１１に、出力信号１１１、１１２Ａ、１１３の１フレーム期間のタイミングチャートの一例を示す。メモリ１０１に蓄積された秘密画像、反転画像及び公衆画像は、ディスプレイコントローラ１０２Ａに送られる。ディスプレイコントローラ１０２Ａでは、期間Ｔ１に秘密画像のデータを割り当て、期間Ｔ２に反転画像及び公衆画像のデータを割り当てる。【００５０】
期間Ｔ１では、まずデータ書き込み期間Ｗで画面の各画素が発光・光透過状（オン状態）、又は非発光・遮光状態（オフ状態）のどちらであるかを表示部１０６へ通知する。その後期間Ｓ２で画素の発光（プラズマディスプレイや有機電界発光ディスプレイのような自発光型ディスプレイの場合）又は光透過状態（ＭＥＭＳスイッチを用いたディスプレイなどの光制御型ディスプレイの場合）、若しくは非発光・遮光状態を維持する。その後、データ書き込みを再び行い、期間Ｓ２と異なる長さの期間Ｓ１で画素のオン・オフ状態を維持する。期間Ｓ２とＳ１とのオン・オフ状態の組合せによって、秘密画像の階調を再現する。【００５１】
次に、期間Ｔ２でも秘密画像の生成と同様の過程（書き込み過程及び発光・光透過状態維持過程）により、反転画像及び公衆画像のデータを割り当て、それぞれの画像の階調を再現する。反転画像はＳ２及びＳ１と同じ長さのオン・オフ状態の維持期間Ｒ２及びＲ１を用いて階調を再現する。この場合、ある画素においてＳ２がオン状態であるならばＲ２はオフ状態、Ｓ２がオフ状態であるならＲ２はオン状態という関係にある。Ｓ１とＲ１とも同様の関係にある。公衆画像はＰ４、Ｐ３、Ｐ２及びＰ１を用いて階調を再現する。【００５２】
シャッタ眼鏡へ送られる出力信号１１３は、期間Ｔ１の間はシャッタ眼鏡を光透過状態とし、期間Ｔ２の間は遮光状態とする信号である。これは、映像の同期信号を基にシャッタ眼鏡制御信号生成回路１０３で生成される。【００５３】
なお、ディスプレイコントローラ１０２Ａでは、１フレーム期間に秘密画像Ｓ、反転画像Ｒ、公衆画像Ｐを順番に生成しているが、このような順番は原則として基本的に任意である。
例えば、図１２に示すように、図１１のタイミングチャートからＲ２とＰ２との期間を交換したとしても、シャッタ眼鏡をかけている人、かけていない人とも、知覚される画像に差は生じない。同様に、秘密画像Ｓの表示期間にシャッタ眼鏡が光透過状態となるようにシャッタ眼鏡制御信号生成回路１０３の出力信号１１３が生成されれば、秘密画像と反転画像、公衆画像の順番は基本的に任意である。【００５４】
以上のように、液晶表示装置に限らず、その他の表示装置においても第１の実施形態と同様の効果が得られる。さらに、第２の実施形態、第３の実施形態と同様の効果についても同様に得られることは言うまでもない。【００５５】
なお、上記各実施形態は本発明の好適な実施の一例であり、本発明はこれに限定されることはない。
例えば、上記各実施形態においては、ＲＧＢ信号それぞれについて格別な記載は無いが、それぞれの信号成分について、上記実施形態と同様の処理を行うことによってカラー画像についても同様の効果が得られる。
また、ラスタ画像は必ずしも複数色の画像信号からなるカラー画像である必要はなく、単色画像であっても良い。すなわち、上記各実施形態において示した構成が必ずしも各色並列に設けられている必要はない。
また、秘密画像を知覚するためにシャッタ眼鏡を使用する構成で説明したが、表示部とユーザの目との間に設置可能であるならば、必ずしも眼鏡形状である必要はない。
このように、本発明は様々な変形が可能である。【００５６】
この出願は、２００７年２月１６日に出願された日本出願特願２００７−０３６４４３を基礎とする優先権を主張し、その開示の全てをここに取り込む。
【図面の簡単な説明】
【００５７】
【図１】関連技術に係る画像表示装置の構成を示す図である。
【図２】本発明を好適に実施した第１の実施形態に係る液晶表示装置の構成を示す図である。
【図３】第１の実施形態に係る液晶表示部の構成を示す図である。
【図４】第１の実施形態に係る液晶表示装置の各制御信号のタイミングチャートの一例を示す図である。
【図５】第１の実施形態に係る液晶表示装置の各制御信号のタイミングチャートの別の一例を示す図である。
【図６】第１の実施形態に係る液晶表示装置の別の構成を示す図である。
【図７】本発明を好適に実施した第２の実施形態に係る液晶表示装置の構成を示す図である。
【図８】本発明を好適に実施した第３の実施形態に係る液晶表示装置の構成を示す図である。
【図９】画像源からの送信画像とそのフレーム周波数との構成を示す図である。
【図１０】本発明を好適に実施した第４の実施形態に係る表示装置の構成を示す図である。
【図１１】第４の実施形態に係る表示装置の各制御信号のタイミングチャートを示す図である。
【図１２】第４の実施形態に係る表示装置の各制御信号のタイミングチャートの別の一例を示す図である。
【符号の説明】
【００５８】
３１    走査線
３２    信号線
３３    走査線ドライバ
３４    信号線ドライバ
３５    画素
３６    補助容量
３７    薄膜トランジスタ（ＴＦＴ）
３８    有効表示領域
１０１、１０１’、１０１Ａ、１０１Ｂ    メモリ
１０２、１０２’、１０２Ａ、    ディスプレイコントローラ
１０３    シャッタ眼鏡制御信号生成回路
１０４    反転画像生成回路
１０５    液晶表示部
１０６    表示部
１１０    伝送路
１１１    出力信号（メモリ）
１１２、１１２’    出力信号（ディスプレイコントローラ）
１１３    出力信号（シャッタ眼鏡制御信号生成回路）
１２１    レシーバ
【図１】
2008099737.tif 000003
【図２】
2008099737.tif 000004
【図３】
2008099737.tif 000005
【図４】
2008099737.tif 000006
【図５】
2008099737.tif 000007
【図６】
2008099737.tif 000008
【図７】
2008099737.tif 000009
【図８】
2008099737.tif 000010
【図９】
2008099737.tif 000011
【図１０】
2008099737.tif 000012
【図１１】
2008099737.tif 000013
【図１２】
2008099737.tif 000014
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
ディジタル伝送路を介して送られてきた信号を基に少なくとも二つの画像信号を順次出力して、該画像信号に応じた画像をディスプレイに表示させるディスプレイコントローラであって、
出力する前記画像信号のうち、第１の出力画像の画像信号と第２の出力画像の画像信号とは、それぞれの画像輝度値を画素ごとに加算したときに、前記第１の出力画像とは相関の無い画像となる関係にあり、
前記画像信号を出力する際のフレーム周波数は、入力画像の画像信号のフレーム周波数の２以上の整数倍であることを特徴とするディスプレイコントローラ。
【請求項２】
少なくとも二つの画像信号を順次出力して、該画像信号に応じた画像をディスプレイに表示させるディスプレイコントローラであって、
第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、
前記画像信号を出力する際のフレーム周波数は、入力画像の画像信号のフレーム周波数の２以上の整数倍であることを特徴とするディスプレイコントローラ。
【請求項３】
出力する前記画像信号のうち、前記第１の出力画像の画像信号と前記第２の出力画像の画像信号とは、それぞれの画像輝度値を画素ごとに加算したときに、前記第１の出力画像とは相関の無い画像となる関係にあることを特徴とする請求項２記載のディスプレイコントローラ。
【請求項４】
ディジタル伝送路を介して送られてきた信号を基に前記画像信号を出力することを特徴とする請求項２又は３記載のディスプレイコントローラ。
【請求項５】
少なくとも前記第１出力画像の画像信号を出力している期間には、前記ディスプレイとユーザの目との間に配置されるシャッタを光透過状態とするように制御する光シャッタ制御手段を有することを特徴とする請求項１から４のいずれか１項記載のディスプレイコントローラ。
【請求項６】
前記ディジタル伝送路を介して外部から送られてきた信号から前記入力画像の画像信号と同期信号とを生成するレシーバを有し、
前記レシーバの出力する前記入力画像の画像信号を外部のメモリへ送出し、
前記同期信号に基づいて前記メモリから前記入力画像の画像信号を読み出して前記出力する画像信号を生成することを特徴とする請求項１から５のいずれか１項記載のディスプレイコントローラ。
【請求項７】
前記ディジタル伝送路を介して送られてきた信号の少なくとも一部は前記第１の出力画像そのものの画像信号であることを特徴とする請求項６記載のディスプレイコントローラ。
【請求項８】
ディジタル伝送路を介して送られてきた信号を基に少なくとも二つの画像信号を順次表示手段へ出力して、該画像信号に応じた画像を前記表示手段に表示させる表示装置であって、
出力する前記画像信号のうち、第１の出力画像の画像信号と第２の出力画像の画像信号とは、それぞれの画像輝度値を画素ごとに加算したときに、前記第１の出力画像とは相関の無い画像となる関係にあり、
前記画像信号を出力する際のフレーム周波数は、入力画像の画像信号のフレーム周波数の２以上の整数倍であることを特徴とする表示装置。
【請求項９】
少なくとも二つの画像信号を順次表示手段へ出力して、該画像信号に応じた画像を前記表示手段に表示させる表示装置であって、
第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、
前記画像信号を出力する際のフレーム周波数は、入力画像の画像信号のフレーム周波数の２以上の整数倍であることを特徴とする表示装置。
【請求項１０】
出力する前記画像信号のうち、第１の出力画像の画像信号と第２の出力画像の画像信号とは、それぞれの画像輝度値を画素ごとに加算したときに、前記第１の出力画像とは相関の無い画像となる関係にあることを特徴とする請求項９記載の表示装置。
【請求項１１】
ディジタル伝送路を介して送られてきた信号を基に前記画像信号を出力することを特徴とする請求項９又は１０記載の表示装置。
【請求項１２】
少なくとも前記第１出力画像の画像信号を出力している期間には、前記表示手段とユーザの目との間に配置されるシャッタを光透過状態とするように制御する光シャッタ制御手段を有することを特徴とする請求項８から１１のいずれか１項記載の表示装置。
【請求項１３】
前記ディジタル伝送路を介して外部から送られてきた信号から前記入力画像の画像信号と同期信号とを生成するレシーバを有し、
前記レシーバの出力する前記入力画像の画像信号を外部のメモリへ送出し、
前記同期信号に基づいて前記メモリから前記入力画像の画像信号を読み出して前記出力する画像信号を生成することを特徴とする請求項８から１２のいずれか１項記載の表示装置。
【請求項１４】
前記ディジタル伝送路を介して送られてきた信号の少なくとも一部は前記第１の出力画像そのものの画像信号であることを特徴とする請求項１３記載の表示装置。
【請求項１５】
第１の画像の画像信号と、不特定多数の者の閲覧に供するための画像である第２の画像の画像信号とを少なくとも含む映像信号を、画像信号に応じた画像を表示するディスプレイへの入力伝送路の規格に適合する周波数で出力する手段を有することを特徴とする映像信号出力装置。
【請求項１６】
前記映像信号は、画像輝度値を前記第１の画像と画素ごとに加算したときに該第１の画像とは相関の無い画像となる関係にある第３の画像の画像信号を含むことを特徴とする請求項１５記載の映像信号出力装置。
【請求項１７】
前記映像信号において、前記第１の画像の画像信号が占める時間割合と前記第３の画像の画像信号が占める時間割合とが同じであることを特徴とする請求項１６記載の映像信号出力装置。
【手続補正３】
【補正対象書類名】明細書
【補正対象項目名】０００１
【補正方法】変更
【補正の内容】
【０００１】
技術分野
［０００１］
本発明は、ディスプレイコントローラ及び表示装置並びに映像信号出力装置に関し、特に、特定の使用者・認証された人にその内容を提示するための装置に関する。
背景技術
［０００２］
液晶ディスプレイやプラズマディスプレイをはじめとするフラットパネルディスプレイは、携帯電話端末といったモバイル機器から、街頭に設置される公衆ディスプレイといった大型装置にまで幅広く適用されている。こういったディスプレイの多くは、広視野角、高輝度、高画質といった点に開発の重点が置かれており、どのような角度からでも、綺麗に見やすく表示することが求められてきた。
［０００３］
一方、ディスプレイで表示するコンテンツの中には、秘密情報やプライベートデータなど他人には見られたくない内容のものもある。よって、情報機器の発達に伴うユビキタス化が進展する現在、不特定の人たちがいる公衆下であっても、他の人に表示コンテンツを見られないようにすることも重要な課題となっている。
加えて、オフィス内のような特定の人しかいない場所であっても、座席の後ろを通る人に見られたくない秘密情報を扱う場合もある。
［０００４］
携帯電話端末などの中には、光学的な遮蔽板（ルーバー）を設けて、特定の方向からのみ表示内容を視認できるようなディスプレイが搭載されているものもある。しかし、それでもユーザの真後ろからは表示内容を盗み見ることができてしまうため、機密保持の点からは十分であるとは言えない。
［０００５］
これらの問題を解決することに関連する技術としては、特許文献１に開示される「画像表示装置」がある。この画像表示装置は、画像選択機能を有する眼鏡をユーザに着用させることによって、眼鏡をかけた者（ユーザ）にのみ特定の画像（以下、秘密画像という）を視認可能とし、それ以外の者には別の画像（以下、公衆画像という）を提示する装置である。
［０００６］
具体的には、図１に示す画像表示装置は、１フレーム分の入力画像信号１１をフレ
【手続補正４】
【補正対象書類名】明細書
【補正対象項目名】０００３
【補正方法】変更
【補正の内容】
【０００３】
特許文献１：特開昭６３−３１２７８８号公報
特許文献２：特開２００１−２５５８４４号公報
発明の開示
発明が解決しようとする課題
［００１２］
しかし、特許文献１に開示される発明においては、高フレームレートで秘密画像、反転画像、公衆画像を順次送出するため、合成回路と画像表示器との間のデータレートが高くなり、現在主流のディジタル伝送（ＬＶＤＳやＤＶＩ、ＨＤＭＩ）では転送できないという問題がある。また、特許文献２に開示される発明においても、全ての画像の生成をＣＰＵ内のソフトで行っているため、同様の問題が生じる。
［００１３］
このような画像信号の生成部（コンピュータ）と表示部（ディスプレイ）との間の伝送路は、一般にＤＶＩやＨＤＭＩのように規格化されているものが主流であり、この規格を超える伝送容量を伝送するためには、この規格外の動作を行うか、並列化を行うこととなる。しかし、規格外の動作を行ったり、並列化したりして画像信号をコンピュータからディスプレイへ伝送することは、現実的な方法ではない。
［００１４］
本発明はかかる問題に鑑みてなされたものであり、ディジタル伝送路のデータレートを変更することなく、ディスプレイ伝送路で送る信号自体は規格内（６０Ｈｚ）のまま、高速画面切替方式の画像表示を行えるディスプレイコントローラ及び表示装置並びに映像信号出力装置を提供することを目的とする。
課題を解決するための手段
［００１５］
上記目的を達成するため、本発明は、第１の態様として、ディジタル伝送路を介して送られてきた信号を基に少なくとも二つの画像信号を順次出力して、該画像信号に応じた画像をディスプレイに表示させるディスプレイコントローラであって、出力する画像信号のうち、第１の出力画像の画像信号と第２の出力画像の画像信号とは、それぞれの画像輝度値を画素ごとに加算したときに、第１の出力画像とは相関の無い画像となる関係にあり、画像信号を出力する際のフレーム周波数は、入力画像の画像信号のフレーム周波数の２以上の整数倍であることを特徴とするディスプレイコントローラを提供するものである。
［００１６］
また、上記目的を達成するため、本発明は、第２の態様として、少なくとも二つ
【手続補正５】
【補正対象書類名】明細書
【補正対象項目名】０００４
【補正方法】変更
【補正の内容】
【０００４】
の画像信号を順次出力して、該画像信号に応じた画像をディスプレイに表示させるディスプレイコントローラであって、第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、画像信号を出力する際のフレーム周波数は、入力画像の画像信号のフレーム周波数の２以上の整数倍であることを特徴とするディスプレイコントローラを提供するものである。
本発明の第２の態様においては、出力する前記画像信号のうち、第１の出力画像の画像信号と第２の出力画像の画像信号とは、それぞれの画像輝度値を画素ごとに加算したときに、第１の出力画像とは相関の無い画像となる関係にあっても良い。また、ディジタル伝送路を介して送られてきた信号を基に前記画像信号を出力しても良い。
［００１７］
本発明の第１又は第２の態様においては、少なくとも第１出力画像の画像信号を出力している期間には、ディスプレイとユーザの目との間に配置されるシャッタを光透過状態とするように制御する光シャッタ制御手段を有することが好ましい。
［００１８］
本発明の第１又は第２の態様のいずれの構成においても、ディジタル伝送路を介して外部から送られてきた信号から入力画像の画像信号と同期信号とを生成するレシーバを有し、レシーバの出力する入力画像の画像信号を外部のメモリへ送出し、同期信号に基づいてメモリから入力画像の画像信号を読み出して出力する画像信号を生成することが好ましく、これに加えて、ディジタル伝送路を介して送られてきた信号の少なくとも一部は第１の出力画像そのものの画像信号であることがより好ましい。
［００１９］
また、上記目的を達成するため、本発明は、第３の態様として、ディジタル伝送路を介して送られてきた信号を基に少なくとも二つの画像信号を順次表示手段へ出力して、該画像信号に応じた画像を表示手段に表示させる表示装置であって、出力する画像信号のうち、第１の出力画像の画像信号と第２の出力画像の画像信号とは、それぞれの画像輝度値を画素ごとに加算したときに、第１の出力画像とは相関の無い画像となる関係にあり、画像信号を出力する際のフレーム周波数は、入力画像の画像信号のフレーム周波数の２以上の整数倍であることを特徴とする表示装置を
【手続補正６】
【補正対象書類名】明細書
【補正対象項目名】０００５
【補正方法】変更
【補正の内容】
【０００５】
提供するものである。
［００２０］
また、上記目的を達成するため、本発明は、第４の態様として、少なくとも二つの画像信号を順次表示手段へ出力して、該画像信号に応じた画像を表示手段に表示させる表示装置であって、第１の出力画像を含む全ての出力画像輝度値を画素ごとに加算したときに、入力画像の一つであり不特定多数の者の閲覧に供するための画像である第２の入力画像となるように第２の出力画像を生成する画像生成手段を有し、画像信号を出力する際のフレーム周波数は、入力画像の画像信号のフレーム周波数の２以上の整数倍であることを特徴とする表示装置を提供するものである。
本発明第４の態様においては、出力する前記画像信号のうち、第１の出力画像の画像信号と第２の出力画像の画像信号とは、それぞれの画像輝度値を画素ごとに加算したときに、第１の出力画像とは相関の無い画像となる関係にあっても良い。また、ディジタル伝送路を介して送られてきた信号を基に画像信号を出力しても良い。
［００２１］
本発明の第３又は第４の態様においては、少なくとも第１出力画像の画像信号を出力している期間には、表示手段とユーザの目との間に配置されるシャッタを光透過状態とするように制御する光シャッタ制御手段を有することが好ましい。
［００２２］
本発明の第３又は第４の態様のいずれの構成においても、ディジタル伝送路を介して外部から送られてきた信号から入力画像の画像信号と同期信号とを生成するレシーバを有し、レシーバの出力する入力画像の画像信号を外部のメモリへ送出し、同期信号に基づいてメモリから入力画像の画像信号を読み出して出力する画像信号を生成することが好ましく、これに加えて、ディジタル伝送路を介して送られてきた信号の少なくとも一部は第１の出力画像そのものの画像信号であることがより好ましい。
また、上記目的を達成するため、本発明は、第５の態様として、第１の画像の画像信号と、不特定多数の者の閲覧に供するための画像である第２の画像の画像信号とを少なくとも含む映像信号を、画像信号に応じた画像を表示するディスプレイへの入力伝送路の規格に適合する周波数で出力する手段を有することを特徴とする映像信号出力装置を提供するものである。本発明の第５の態様においては、映像信号は、画像輝度値を第１の画像と画素ごとに加算したときに該第１の画像とは相関の無い画像となる関係にある第３の画像の画像信号を含んでも良く、これに加えて、映像信号において、第１の画像の画像信号が占める時間割合と第３の画像の画像信号が占める時間割合とが同じであっても良い。
発明の効果
［００２３］
本発明によれば、ディジタル伝送路のデータレートを変更することなく、ディスプレイ伝送路で送る信号自体は規格内（６０Ｈｚ）のまま、高速画面切替方式の画像表示を行えるディスプレイコントローラ及び表示装置並びに映像信号出力装置を提供できる。
発明を実施するための最良の形態
［００２４］
〔第１の実施形態〕
本発明を好適に実施した第１の実施形態について説明する。図２に、本実施形態に係る液晶表示装置の構成を示す。この液晶表示装置は、レシーバ１２１、メモリ１０１、反転画像生成回路１０４、ディスプレイコントローラ１０２、シャッタ眼鏡制御信号生成回路１０３及び液晶表示部１０５を有する。
レシーバ１２１は、画像伝送規格（ＬＶＤＳやＤＶＩ、ＨＤＭＩなど）に沿って規格された伝送路１１０を通って映像源から送出された信号を、画像信号と同期信号とに分離する。メモリ１０１は、レシーバ１２１から出力され、順次入力される画像信号を秘密画像として蓄積し、かつ順次入力とは別にプリセットされている公衆画像を蓄積する。反転画像生成回路１０４は、メモリ１０１から入力された秘密画像を基に反転画像を生成して出力する。ディスプレイコントローラ１０２は、同期信号に基づいてメモリ１０１から順次出力される秘密画像及び公衆画像と、反転画像生成回路１０４から出力される反転画像とを液晶表示部１０５で表示できるようにデータを割り当て、液晶表示部１０５を
【国際調査報告】
2008099737.tif 000015
2008099737.tif 000016
2008099737.tif 000017
2008099737.tif 000018
2008099737.tif 000019
2008099737.tif 000020
2008099737.tif 000021
2008099737.tif 000022